(57)【要約】      （修正有）【課題】健康機器からの情報を加味した日記風の文章を利用者に負荷をかけずに自動的に作成できる健康管理支援システムを提供する。【解決手段】利用者の健康に関連する入力情報、歩数計情報、体重体組成計情報、および血圧計情報を取得する手入力情報入力部４２、歩数計データ入力部４４、体重体組成計データ入力部４５、および血圧計データ入力部４６と、これらのデータから利用者の状態を判定して該状態に対応して日記出力するための日記テキスト作成ルール情報を記憶する記憶部と、前記取得したデータに基づいて利用者がどの状態であるか日記テキスト作成ルール情報の条件により判定するデータ判定部５２と、判定結果の状態に対応する出力文字を前記記憶部から抽出する日記作成部５３と、抽出した文章情報を日記出力する日記登録部５５とを備えた。【選択図】図７
0003156614.tif 000002
【実用新案登録請求の範囲】
【請求項１】
利用者の健康に関連する健康関連データを取得する健康関連データ取得手段と、
前記健康関連データから利用者の状態を判定するための判定基準情報と前記状態に対応して日記出力するための文章情報とを記憶する記憶手段と、
前記健康関連データ取得手段で取得した健康関連データに基づいて利用者がどの状態であるか前記判定基準情報により判定する判定手段と、
判定結果の状態に対応する文章情報を前記記憶手段から抽出する文章情報抽出手段と、
抽出した文章情報を日記出力する出力手段とを備えた
健康管理支援システム。
【請求項２】
健康関連データ取得手段は、複数種類の健康関連データを取得する構成であり、
前記文章情報は、各健康関連データの状態を複数組み合わせた複合条件別に設定登録されている構成であり、
前記文章情報抽出手段は、前記判定手段で判定した状態を複数組み合わせて該当する前記複合条件の文章情報を抽出する構成である
請求項１記載の健康管理支援システム。
【請求項３】
前記判定手段は、過去の前記健康関連データと当日の健康関連データとの比較に基づく経過状態の判定を実行可能な構成であり、
前記文章情報抽出手段は、前記経過状態に対応する文章情報を前記記憶手段から抽出する処理を実行可能な構成である
請求項１または２記載の健康管理支援システム。
【請求項４】
前記判定手段による判定と、前記文章情報抽出手段による文章情報の抽出とを複数種類実行し、
前記出力手段は、抽出した前記複数種類の文章情報を結合して出力する構成である
請求項１、２、または３記載の健康管理支援システム。
【請求項５】
前記判定手段で判定する対象となる健康関連データの種類を日によって異ならせる対象変更手段を備えた
請求項４記載の健康管理支援システム。
【請求項６】
前記文章情報抽出手段は、前記判定手段で判定した状態によっては、対象となる文章情報を抽出しない場合がある構成である
請求項４または５記載の健康管理支援システム。
【請求項７】
完成した前記文章情報に対して利用者による編集を許容する編集手段を備えた
請求項１から６のいずれか１つに記載の健康管理支援システム。
【考案の詳細な説明】
【技術分野】
【０００１】
この考案は、例えばネットワークに接続できる健康機器からのアップロード情報や、インターネットを介して入力される日々の生活記録を基に、日記風の文章を自動作成して健康管理を支援するような健康管理支援システムに関する。
【背景技術】
【０００２】
自分で健康管理する場合、日々の生活記録や測定した健康データの記録を残すと、自分の行動や生活を振り返る機会が多くなる。このため、記録を残すことは、改善動機の維持につながる。この記録を残すことは、単調な作業であり、手書きで残そうとすると面倒になって途中でやめてしまうことがある。
【０００３】
ここで、最近の健康管理支援システムは、生活記録や測定した健康データを、携帯電話などの端末やセンサネットワークなどを介して容易に記録・保存できるようになってきている。
【０００４】
しかし、保存される健康データは、単調な数字であるため、自動保存で残していても利用者が見なくなることがある。そして、記録を見なくなると、自分の行動や生活を振り返る機会が減少し、健康管理の意識が薄まることになる。
【０００５】
一方、蓄積した記録を楽しく見られるものとして、日記が考えられる。日記であれば、後に振り返って楽しく見ることができ、自分の行動や生活を振り返る機会を多くできると考えられる。
【０００６】
この日記を作成しようとすると、テキスト入力しなければならず、文章構成を考慮する等の手間がかかる。このため、日記作成を続けることが困難であるという面がある。
【０００７】
このように手間のかかる日記作成について、次に示すような日記作成支援機能を有する公知技術が提案されている。  
例えば、センサノード及び携帯端末に備わる機能で行動時系列を収集・解析し、「移動」などの行動シーンの内容を抽出・表示するといった方法を用いる日記作成支援システムが提案されている（特許文献１参照）。
【０００８】
また、ウェブサイト上で公開する日記を作成支援するものとして、過去の日記から抽出した日記素材と、他人の日記から抽出した日記素材とのマッチングによって、日記のテーマ素材を抽出・提供して、作成支援を行う日記作成支援システムが提案されている（特許文献２参照）。
【０００９】
しかしながら、従来の日記作成支援の方法は、全自動での作成支援となっていないため、継続作成の困難さが残るという問題点がある。また、独立したテキストの羅列でスケジュール表のように事務的なものなっているといった問題点もある。他にも、健康管理に役立つ内容ではないという問題点もある。
【００１０】
詳述すると、特許文献１は、位置情報や通話情報などから行動時系列情報を時間帯で複数のシーンに分割し、各シーンについて“勉強した”や“楽しかった”などの選択肢を提示して日記の入力を補助するものである。このため、利用者は必ず選択や入力が必要であり、また選択した内容（独立したテキスト）の羅列の日記になり、健康管理に役立つものでもなかった。
【００１１】
また、特許文献２は、人の日記を分析してテーマ候補を抽出して提示し、ユーザの参加コミュニティーや受信メールや過去の日記からユーザ自身のテーマ素材を抽出し、これらをマッチングして一致度の高いものを抽出して表示し、ユーザのテーマ選択を容易にするものである。このため、テーマ選定を補助するにすぎず、日記そのものはユーザが入力する必要があり、健康管理に役立つものでもなかった。
【先行技術文献】
【特許文献】
【００１２】
【特許文献１】特開２００９−０２６０９８号公報
【特許文献２】特開２００８−２４２８０８号公報
【考案の概要】
【考案が解決しようとする課題】
【００１３】
この考案は、上述した問題点に鑑み、健康機器からの情報を加味した日記風の文章を利用者に負荷をかけずに自動的に作成できる健康管理支援システムを提供し、利用者の健康管理の維持を促進することを目的とする。
【課題を解決するための手段】
【００１４】
この考案は、利用者の健康に関連する健康関連データを取得する健康関連データ取得手段と、前記健康関連データから利用者の状態を判定するための判定基準情報と前記状態に対応して日記出力するための文章情報とを記憶する記憶手段と、前記健康関連データ取得手段で取得した健康関連データに基づいて利用者がどの状態であるか前記判定基準情報により判定する判定手段と、判定結果の状態に対応する文章情報を前記記憶手段から抽出する文章情報抽出手段と、抽出した文章情報を日記出力する出力手段とを備えた健康管理支援システムであることを特徴とする。
【００１５】
前記健康関連データは、歩数計、体重体組成計（体重計と体組成計）、血圧計、および体温計など、健康に関するデータの測定を行う健康関連測定機器により測定した測定データとする、または、体調や気分、就寝時間や起床時間、服薬や喫煙本数など、健康に関するデータが利用者に入力された入力データとする、あるいはこれらの測定データと入力データの両方とするなど、適宜のデータとすることができる。
【００１６】
前記健康関連データ取得手段は、健康関連測定機器から測定データを受信する通信手段、または利用者が使用する情報端末から入力データを受信する通信手段など、データ取得が可能な適宜の手段で構成することができる。
【００１７】
前記判定基準情報は、測定データの数値が所定範囲に入るか否か、入力データの入力内容（あるいは選択肢）が所定の内容に該当するか否かといった基準とすることができる。
【００１８】
前記状態は、健康状態（健康、高血圧、肥満など）、運動量状態（平常運動量、年代平均運動量、性別平均運動量、目標達成など）、あるいは、生活状態（夜更かし、飲酒、過剰喫煙、体調不良など）といったように、健康に関連する様々な状態とすることができる。
【００１９】
前記文章情報は、日記に用いる文章とすることができ、健康状態を示す文章、運動量を示す文章、生活状態を示す文章、過去と比較した現在の差を示す文章（ダイエット成功など）、目標達成状態を示す文章（目標歩数の歩行を達成など）、あるいは感情を表す文章（うれしい気分など）といったように、健康関連データを加味した様々な日記風の文章とすることができる。
【００２０】
前記文章情報抽出手段は、記憶手段から該当する文章を抽出する処理、または、プログラミングされているｉｆ文等によって条件別に設定された文章を場合分けして出力する処理など、適宜の処理を実行する処理手段により構成することができる。
【００２１】
前記出力手段は、データを送信出力する送信手段、データを画面に表示出力する表示手段、あるいは、データを記憶する記憶手段など、適宜の出力が可能な手段で構成することができる。データを記憶する場合、ホームページなどで閲覧可能に記憶する構成とすることもできる。
【００２２】
この考案により、健康機器からの情報を加味した日記風の文章を利用者に負荷をかけずに自動的に作成できる健康管理支援システムを提供し、利用者の健康管理の維持を促進することができる。
【００２３】
この考案の態様として、健康関連データ取得手段は、複数種類の健康関連データを取得する構成とし、前記文章情報は、各健康関連データの状態を複数組み合わせた複合条件別に設定登録されている構成とし、前記文章情報抽出手段は、前記判定手段で判定した状態を複数組み合わせて該当する前記複合条件の文章情報を抽出する構成とすることができる。  
これにより、複数種類の健康関連データを組み合わせて、利用者の状態にきめ細かく対応した多彩な文章を出力することができる。
【００２４】
またこの考案の態様として、前記判定手段は、過去の前記健康関連データと当日の健康関連データとの比較に基づく経過状態の判定を実行可能な構成であり、前記文章情報抽出手段は、前記経過状態に対応する文章情報を前記記憶手段から抽出する処理を実行可能な構成とすることができる。
【００２５】
前記経過状態は、過去と比べた現在の変化度合い（例えば肥満解消率、あるいは歩数増加率など）とすることができる。
【００２６】
この態様により、健康維持のための努力の成果を判定することができ、その判定に対応した文章を出力することができる。従って達成感やモチベーション維持に繋がりやすい文章を出力することができる。
【００２７】
またこの考案の態様として、前記判定手段による判定と、前記文章情報抽出手段による文章情報の抽出とを複数種類実行し、前記出力手段は、抽出した前記複数種類の文章情報を結合して出力する構成とすることができる。
【００２８】
これにより、複数の情報を盛り込んだ日記を出力することができ、様々な健康状態を文章内に反映させることができる。
【００２９】
またこの考案の態様として、前記判定手段で判定する対象となる健康関連データの種類を日によって異ならせる対象変更手段を備えることができる。  
前記対象変更手段は、全ての種類を入れ替える、あるいは一部の種類を入れ替えるなど、適宜の変更を行う手段で構成することができる。
【００３０】
この態様により、出力する日記のマンネリ化を防止することができ、変化に富む日記を出力することができる。
【００３１】
またこの考案の態様として、前記文章情報抽出手段は、前記判定手段で判定した状態によっては、対象となる文章情報を抽出しない場合がある構成とすることができる。
【００３２】
これにより、例えば変化のない項目について文章出力を省略することや、目標達成時にだけ所定の文章を出力するといったことができ、より変化に富む日記を出力することができる。
【００３３】
またこの考案の態様として、完成した前記文章情報に対して利用者による編集を許容する編集手段を備えることができる。
【００３４】
前記編集手段は、通信回線で接続された情報処理端末からの編集処理を許容するＣＧＩやＰＨＰといったサーバ機能による編集手段、あるいは直接的に編集を許容するキーボードやマウスやタッチパネルといった入力手段など、適宜の手段で構成することができる。
【００３５】
これにより、自動作成した日記に追加、変更、削除を行うことができ、利用者が満足度の高い日記に仕上げることができる。また、時間のないときや面倒なときは編集をせずに自動作成された日記をそのまま登録することができるため、編集するか否か利用者が任意に選択することができる。従って、利用者は日記の蓄積を楽に継続することができる。
【考案の効果】
【００３６】
この考案により、健康機器からの情報を加味した日記風の文章を利用者に負荷をかけずに自動的に作成できる健康管理支援システムを提供し、利用者の健康管理の維持を促進することができる。
【図面の簡単な説明】
【００３７】
【図１】健康管理支援システムのシステム構成図。
【図２】健康管理支援システムの概略構成を示すブロック図。
【図３】管理サーバに記憶するデータのデータ構成説明図。
【図４】管理サーバに記憶するデータのデータ構成説明図。
【図５】管理サーバに記憶するデータのデータ構成説明図。
【図６】情報登録画面の画面構成図。
【図７】健康管理支援システムの機能構成を説明する機能ブロック図。
【図８】健康管理支援システムの動作を示すフローチャート。
【図９】自動作成して表示する日記例の説明図。
【考案を実施するための形態】
【００３８】
この考案の一実施形態を以下図面と共に説明する。  
【実施例】
【００３９】
図１は、健康管理支援システム１のシステム構成を示す構成図であり、図２は、健康管理支援システム１の構成を示すブロック図である。  
健康管理支援システム１は、管理サーバ２、およびユーザ端末４がインターネット３に接続されており、さらにユーザ端末４に、歩数計５、体重体組成計６、および血圧計７等が接続されている。
【００４０】
図２に示すように、健康管理支援システム１は、管理サーバ２が設けられている。管理サーバ２は、制御部１０、入力部１１、表示部１２、記憶部１３、通信部１４とを有している。
【００４１】
制御部１０は、ＣＰＵとＲＯＭとＲＡＭ等で構成され、各種制御動作や演算処理を実行する。この演算処理として、日記を自動作成する日記作成処理も実行する。
【００４２】
入力部１１は、キーボードやマウス等の入力機器で構成され、管理サーバ利用者の操作入力を受け付けて入力信号を制御部１０に伝達する。  
表示部１２は、ＣＲＴディスプレイや液晶ディスプレイ等の表示機器で構成され、制御部１０の制御信号に従って文字や画像を表示する。
【００４３】
記憶部１３は、ハードディスクなどの記憶機器で構成され、制御部１０の制御信号に従ってデータの読み書きを実行する。  
通信部１４は、ＬＡＮボードなどの通信機器で構成され、制御部１０の制御信号に従ってデータの送受信処理を実行する。
【００４４】
ユーザ端末４は、制御部１５、入力部１６、表示部１７、通信部１８、及び接続部１９を備えている。
【００４５】
制御部１５、入力部１６、表示部１７、および通信部１８は、上述した管理サーバ２の制御部１０、入力部１１、表示部１２、および通信部１４と同様の構成であるので、その詳細な説明を省略する。なお、入力部１１および表示部１７は、手入力情報を入力する情報登録画面３５（図６参照）の表示と入力受付や、管理サーバ２で自動作成された日記の表示と編集と登録や、登録した日記のホームページ上での閲覧なども実行する。
【００４６】
接続部１９は、ＵＳＢ（Universal Serial Bus）などの接続インタフェースによって構成され、接続された他の機器とデータの送受信を行う。この実施例では、歩数計５、体重体組成計６、および血圧計７等が接続されており、これらの機器とデータの送受信（特に測定データの受信）を行う。
【００４７】
歩数計５は、主に接続部２０と制御部２１と加速度検知部２２とで構成されている。  
接続部２０および制御部２１は、上述したユーザ端末４の接続部１９および制御部１０と同様であるので、その詳細な説明を省略する。このうち制御部２１は、加速度信号から歩数や歩行距離や消費カロリー等を算出する演算処理も実行する。
【００４８】
加速度検知部２２は、ユーザの歩行等によって生じる変化の一例として加速度を検知するセンサであり、検知信号を制御部２１に送信する。この加速度検知部２２は、一方向の加速度を検知する一次元加速度センサ、直交する二方向の加速度を検知する二次元加速度センサ、または、直交する三方向の加速度を検知する三次元加速度センサで構成することができ、情報量の多い三次元加速度センサが最も好ましい。
【００４９】
なお、歩数計５は、これらの構成を主要とするものであり、その他にも、歩数や歩行距離や消費カロリーなどの情報を表示する表示部、および操作入力を受け付ける入力部等も備えている。
【００５０】
体重体組成計６は、主に接続部２３、制御部２４、体重測定部２５、および体組成測定部２６により構成されている。  
接続部２３および制御部２４は、上述したユーザ端末４の接続部１９および制御部１０と同様であるので、その詳細な説明を省略する。このうち制御部２４は、体重測定部２５や体組成測定部２６の測定データから体重や体組成（体脂肪率）等を算出する演算処理も実行する。
【００５１】
体重測定部２５は、複数のロードセルで構成され、測定データを制御部２４へ伝達する。  
体組成測定部２６は、低電流回路とインピーダンス検知部と電極とで構成されており、測定データを制御部２４へ伝達する。
【００５２】
なお、体重体組成計６は、これらの構成を主要とするものであり、その他にも、内蔵脂肪レベルや体脂肪率や皮下脂肪率などの情報を表示する表示部、および操作入力を受け付ける入力部等も備えている。
【００５３】
血圧計７は、主に接続部２７、制御部２８、および血圧測定部２９により構成されている。  
接続部２７および制御部２８は、上述したユーザ端末４の接続部１９および制御部１０と同様であるので、その詳細な説明を省略する。このうち制御部２８は、血圧測定部２９の測定データから血圧を算出する演算処理等を実行する。
【００５４】
血圧測定部２９は、利用者の血圧測定部位に装着されるカフ、カフにエア管を通じて圧力を付与すると共にカフ内の圧力を調整（制御）するポンプと弁、カフ内の圧力（カフ圧）に応じて容量値が変化する静電容量型の圧力センサ、圧力センサの容量値に応じた周波数の信号を出力する発振回路等により構成されており、測定データを制御部２８へ伝達する。
【００５５】
なお、血圧計７は、これらの構成を主要とするものであり、その他にも、測定した血圧等を表示する表示部、および操作入力を受け付ける入力部等も備えている。
【００５６】
このように構成された健康管理支援システム１は、ユーザ端末４が歩数計５、体重体組成計６、および血圧計７から各種測定データを取得し、管理サーバ２に送信する。また、利用者のユーザ端末４の操作により、管理サーバ２で日記を自動作成させ、その日記を修正して保存することも可能となる。なお、この実施例では、歩数計５、体重体組成計６、および血圧計７による各種測定データは、ユーザ端末４を通じて管理サーバ２に送信しているが、歩数計５、体重体組成計６、および血圧計７から管理サーバ２へそれぞれ直接送信する構成にしてもよい。
【００５７】
図３〜図５は、管理サーバ２の記憶部１３に設けられたデータベースに記憶するデータの構成を説明するデータ構成説明図である。  
記憶部１３のデータベースには、プロフィール情報Ｄ１、入力情報Ｄ２、スケジュール情報Ｄ３、目標情報Ｄ４、天候情報Ｄ５、歩数計情報Ｄ６、体重体組成計情報Ｄ７、血圧計情報Ｄ８、世代別・性別平均情報Ｄ９、参照頻度設定情報Ｄ１０、日記テキスト作成ルール情報Ｄ１１が記憶されている。
【００５８】
プロフィール情報Ｄ１は、年齢、性別、居住地域等、利用者のプロフィールで構成されている。
【００５９】
入力情報Ｄ２は、体調や気分を記憶する入力体調情報と、就寝時刻、起床時刻、食事内容、飲酒、および外出等を記憶する入力生活状況情報と、服薬内容、および喫煙本数等を記憶する入力その他情報とで構成されている。
【００６０】
スケジュール情報Ｄ３は、各種の予定が記憶されており、例えば飲み会の予定やスポーツの予定や会議の予定など、イベント情報や行動情報となる様々な予定が記憶されている。このスケジュール情報Ｄ３は、管理サーバ２に記憶しているが、他のサーバに記憶しているものをその都度アクセスして呼び出す構成にしてもよい。例えばＷＥＢ上でスケジュール管理ができる適宜のサービスやソフトウェアで登録されている予定を呼び出して使用する構成とすることができる。
【００６１】
目標情報Ｄ４は、利用者が選択または入力した目標行動が複数記憶されており、日付毎の達成度も記憶されている。
【００６２】
天候情報Ｄ５は、天候を記憶している。この天候は、管理サーバ２に記憶しておくとよく、利用者による入力を許容しても良いが、他のサーバ（例えば天気予報サーバなど）にて管理されているものを呼び出して使用してもよい。
【００６３】
歩数計情報Ｄ６は、歩数計５から取得したデータを日毎に分けて記憶している。  
体重体組成計情報Ｄ７は、体重体組成計６から取得したデータを日毎に分けて記憶している。  
血圧計情報Ｄ８は、血圧計７から取得したデータを日毎に分けて記憶している。
【００６４】
世代別・性別平均情報Ｄ９は、歩数計５で測定する歩数や、体重体組成計６で測定する体重や、血圧計７で測定する血圧を、歩数計情報Ｄ６、体重体組成計情報Ｄ７、および血圧計情報Ｄ８から複数抽出して平均値を算出し、この平均値を登録したものである。
【００６５】
参照頻度設定情報Ｄ１０は、日記を自動作成するにあたって、毎回確認する項目と、順番等によってたまに確認する事項を組み合わせるための情報である。  
日記テキスト作成ルール情報Ｄ１１は、どのような条件に該当すればどのような出力文字を出力するのかを定める表である。中には、図示するＮｏ．ｋのように、出力文字に変数が入っているものがある。この変数は、計算式で求めるものであり、Ｎｏ．ｋの例であれば、目標歩数から当日歩数を減算した値（不足歩数）に一歩に要する平均時間を乗算して分単位に四捨五入した値を［算出時間］として求めるとよい。これにより、目標達成に必要な行動を日記にて利用者に知らせることを可能にしている。
【００６６】
図６は、目標情報Ｄ４などをユーザ端末４で入力して管理サーバ２の記憶部１３に登録するための情報登録画面３５の画面構成図である。  
情報登録画面３５は、目標の実践記録と体調等を登録可能になっており、利用者は単純に選択して目標や体調等を定めることができる。利用者によって登録ボタンが押下されると、各情報が入力情報Ｄ２や目標情報Ｄ４などを記憶部１３に記憶される。
【００６７】
図７は、健康管理支援システム１の機能構成を説明する機能ブロック図であり、図８は、健康管理支援システム１の動作を示すフローチャートである。  
この健康管理支援システム１は、プロフィール情報入力部４１、手入力情報入力部４２、目標情報入力部４３、歩数計データ入力部４４、体重体組成計データ入力部４５、血圧計データ入力部４６、スケジュール情報入力部４７、天気情報入力部４８、世代別・性別平均算出部４９、参照項目決定部５０、データ抽出部５１、データ判定部５２、日記作成部５３、日記表示編集部５４、および、日記登録部５５を備えている。
【００６８】
プロフィール情報入力部４１は、通信部１４を介してユーザ端末４からプロフィール情報を受信し、記憶部１３のプロフィール情報Ｄ１に記憶する。  
手入力情報入力部４２は、通信部１４を介してユーザ端末４から手入力情報を受信し、記憶部１３の入力情報Ｄ２に記憶する。
【００６９】
目標情報入力部４３は、通信部１４を介してユーザ端末４から目標情報を受信し、記憶部１３の目標情報Ｄ４に記憶する。  
歩数計データ入力部４４は、通信部１４を介して歩数計５から歩数計情報を受信し、記憶部１３の歩数計情報Ｄ６に記憶する。
【００７０】
体重体組成計データ入力部４５は、通信部１４を介して体重体組成計６から体重体組成計情報を受信し、記憶部１３の体重体組成計情報Ｄ７に記憶する。  
血圧計データ入力部４６は、通信部１４を介して血圧計７から血圧計情報を受信し、記憶部１３の血圧計情報Ｄ８に記憶する。
【００７１】
スケジュール情報入力部４７は、通信部１４を介して図示省略するスケジュール管理サーバなどの適宜の装置からスケジュール情報を受信し、記憶部１３のスケジュール情報Ｄ３に記憶する。  
天気情報入力部４８は、通信部１４を介して図示省略する天気情報サーバなどの適宜の装置から天候情報を受信し、記憶部１３の天候情報Ｄ５に記憶する。
【００７２】
世代別・性別平均算出部４９は、記憶部１３に記憶しているすべての利用者のデータから各種情報の世代別・性別平均を算出し、記憶部１３に記憶する。  
参照項目決定部５０は、記憶部１３の参照頻度設定情報Ｄ１０を参照し、どの項目を参照するか決定する。
【００７３】
データ抽出部５１は、参照項目決定部５０で定められた項目のデータを記憶部１３から抽出する。  
データ判定部５２は、抽出したデータが日記テキスト作成ルール情報Ｄ１１の条件に該当するか否か判定する。
【００７４】
日記作成部５３は、文章作成エンジンにより日記テキスト作成ルール情報Ｄ１１の条件に該当する項目の出力文字を参照し、後に日記となる出力文章を作成する。この出力文章の作成に際して、変数展開（数値型、文字型、択一型、二値型）、代入、四則演算、論理演算等の演算を実行し、この演算をもとに文章作成を実行する。また、テキスト単位または段落単位で、条件を付けて出力制御することや、最終的な日記をＸＭＬ形式で出力することも実行する。なお、テキストはタグによるスタイル指定を採用し、レイアウトはテンプレート方式で外部処理により作成する。
【００７５】
日記表示編集部５４は、自動作成した日記をユーザ端末４の表示部１７に表示させ、文字の追加、修正、削除といった編集を許容する。  
日記登録部５５は、完成した日記データを、記憶部１３に記憶する。このとき、日記データをＸＭＬ形式で登録（出力）し、ブログ形式などの適宜の形式でホームページにて公開する。このホームページで公開を行う処理は、管理サーバ２にＷＥＢサーバ機能を搭載して該管理サーバ２が行う、あるいは、別途のＷＥＢサーバを設置して該ＷＥＢサーバにＸＭＬ形式の日記データをアップロードしＷＥＢサーバが行うなど、適宜の方法により実行する。
【００７６】
図８に示すように、管理サーバ２の制御部１０は、ユーザ端末４からデータを受け付けると日記作成の依頼か否かを判定する（ステップＳ１）。日記作成の依頼でなければ（ステップＳ１：Ｎｏ）、各種データを取得し（ステップＳ２）、取得した各種データを記憶する（ステップＳ３）。
【００７７】
日記作成の依頼であった場合（ステップＳ１：Ｙｅｓ）、制御部１０は、参照頻度設定情報Ｄ１０の参照頻度を参照して参照する項目を決定する（ステップＳ４）。この参照する項目は、参照頻度が“毎回”の項目全てと、参照頻度が“順番”の項目２〜３項目程度とすることが好ましい。参照頻度が“順番”の項目は、ランダムで決定することや順番に進めて決定すること等、適宜の方法で決定する。
【００７８】
制御部１０は、参照頻度設定情報Ｄ１０のテーマアップ基準を参照し、テーマアップをするか否か決定する（ステップＳ５）。  
テーマアップしない場合（ステップＳ５：Ｎｏ）、制御部１０は、ステップＳ７へ処理を進める。
【００７９】
テーマアップする場合（ステップＳ５：Ｙｅｓ）、制御部１０は、日記テキスト作成ルール情報Ｄ１１の該当覧に記憶されている出力文字を日記文章（文字列変数）に追加して文章を作成する。
【００８０】
参照項目とした全てのデータについて完了するまで（ステップＳ７：Ｎｏ）、制御部１０は、参照項目を次に進め（ステップＳ８）、ステップＳ５へ処理を戻して繰り返す。
【００８１】
全てのデータについて完了すると（ステップＳ７：Ｙｅｓ）、制御部１０は、完成した日記文章をユーザ端末４の表示部１７に表示させる（ステップＳ９）。
【００８２】
制御部１０は、ユーザ端末４の表示部１７に表示させた日記文章表示画面で日記の編集を許容する（ステップＳ１０）。この編集は、例えばテキストデータを表示してテキスト編集を許容することで実行させるとよい。
【００８３】
制御部１０は、編集後の日記を記憶部１３に保存し（ステップＳ１１）、処理を終了する。
【００８４】
以上の構成および動作により、健康管理支援システム１は、健康に関して取得した種々のデータをもとに、図９の日記例説明図に示すように、多様な日記を自動作成することができる。すなわち、図９（Ａ）〜図９（Ｃ）の各例に示すように、日付や天気といった常に挿入する文章、睡眠や体重など挿入する場合としない場合がある文章を組み合わせ、多様な文章の日記を自動作成することができる。
【００８５】
また、図９（Ａ）の最後の文章にある「１日の歩数も目標より少なかったので、明日は帰ってきてから１０分程歩いてみようかな。気分転換にはなるだろうし。」といった改善を促す文章を入れることができるため、自動作成した日記によって利用者の健康維持や改善行動を促すことができる。
【００８６】
また、作成された日記は、「ちょっとうれしい気分。」などの感情を表す文章が含まれているため、出来上がった日記を見る楽しみや、後に振り返って見る楽しみがあり、日記を通じて利用者が健康状態を確認する頻度を高め、維持することができる。
【００８７】
また、歩数計５や体重体組成計６や血圧計７といった健康機器からの情報を加味した日記風の文章を、利用者に負荷をかけずに自動的に作成できる。
【００８８】
また、歩数計５や体重体組成計６や血圧計７などで取得できる複数種類の健康関連データを組み合わせて、利用者の状態にきめ細かく対応した多彩な文章を出力することができる。
【００８９】
また、目標達成を判定するため、健康維持のための努力の成果を判定することができ、その判定に対応した文章を出力することができる。従って達成感やモチベーション維持に繋がりやすい文章を出力することができる。
【００９０】
また、複数の情報を盛り込んだ日記を出力することができ、様々な健康状態を文章内に反映させることができる。
【００９１】
また、常に参照する項目だけでなく、順番に参照する項目や、条件によって表示したりしなかったりする項目があるため、出力する日記のマンネリ化を防止することができ、変化に富む日記を出力することができる。
【００９２】
また、自動作成した日記に追加、変更、削除を行うことができ、利用者が満足度の高い日記に仕上げることができる。また、時間のないときや面倒なときは編集をせずに自動作成された日記をそのまま登録することができ、編集するか否か選択することができる。従って、利用者は日記の登録を楽に継続することができる。
【００９３】
また、測定データや入力データを、これらのデータによって判定できる利用者の状態に応じた文章に変換して日記作成を行うため、利用者の状態に合わせた満足度の高い日記を作成することができる。
【００９４】
また、測定した機器からのアップロード情報、日々の記録（食事バランスや飲食、目標行動の実践状況、睡眠、ストレス、服薬、喫煙、体調、気分）などを、文章生成エンジンとなる日記作成部５３で知識情報となる日記テキスト作成ルール情報Ｄ１１と照合して自動的に日記文章を生成し、それを利用者が修正できるようにし、記憶部１３のデータベースへ保存して参照できる。このため、利用者が日々の目標行動実践や記録をする楽しみを得ることができる。また、利用者は、自分の行動や生活を振り返る機会を多くして改善動機の維持を図ることができる。
【００９５】
また、登録した日記がホームページにブログ形式で公開されるため、利用者は、第三者とのコミュニケーションツールとして利用することができる。これにより、継続しやすくなり、目標を達成しようとするモチベーション向上効果も期待できる。
【００９６】
この考案の構成と、上述の実施形態との対応において、
この考案の記憶手段は、実施形態の記憶部１３に対応し、
以下同様に、
健康関連データ取得手段は、手入力情報入力部４２、目標情報入力部４３、歩数計データ入力部４４、体重体組成計データ入力部４５、血圧計データ入力部４６に対応し、
対象変更手段は、参照項目決定部５０に対応し、
判定手段は、データ判定部５２に対応し、
文章情報抽出手段は、日記作成部５３に対応し、
編集手段は、日記表示編集部５４に対応し、
出力手段は、日記登録部５５に対応し、
健康関連データは、入力情報Ｄ２、歩数計情報Ｄ６、体重体組成計情報Ｄ７、血圧計情報Ｄ８に対応し、
経過状態に対応する文章情報は、日記テキスト作成ルール情報Ｄ１１のＮｏ．ｎの出力文字に対応し、
判定基準情報は、日記テキスト作成ルール情報Ｄ１１の条件に対応し、
文章情報は、日記テキスト作成ルール情報Ｄ１１の出力文字に対応するが、
この考案は、上述の実施形態の構成のみに限定されるものではなく、多くの実施の形態を得ることができる。
【産業上の利用可能性】
【００９７】
この考案は、健康管理の維持を促進するために用いることができ、また、日記を容易に作成するためにも用いることができる。
【符号の説明】
【００９８】
１…健康管理支援システム、１３…記憶部、４２…手入力情報入力部、４３…目標情報入力部、４４…歩数計データ入力部、４５…体重体組成計データ入力部、４６…血圧計データ入力部、５０…参照項目決定部、５２…データ判定部、５３…日記作成部、５４…日記表示編集部、５５…日記登録部、Ｄ２…入力情報、Ｄ６…歩数計情報、Ｄ７…体重体組成計情報、Ｄ８…血圧計情報、Ｄ１１…日記テキスト作成ルール情報
【図１】
0003156614.tif 000003
【図２】
0003156614.tif 000004
【図３】
0003156614.tif 000005
【図４】
0003156614.tif 000006
【図５】
0003156614.tif 000007
【図６】
0003156614.tif 000008
【図７】
0003156614.tif 000009
【図８】
0003156614.tif 000010
【図９】
0003156614.tif 000011
【手続補正書】
【提出日】平成21年10月1日(2009.10.1)
【手続補正１】
【補正対象書類名】明細書
【補正対象項目名】全文
【補正方法】変更
【補正の内容】
【考案の詳細な説明】
【技術分野】
【０００１】
この考案は、例えばネットワークに接続できる健康機器からのアップロード情報や、インターネットを介して入力される日々の生活記録を基に、日記風の文章を自動作成して健康管理を支援するような健康管理支援システムに関する。
【背景技術】
【０００２】
自分で健康管理する場合、日々の生活記録や測定した健康データの記録を残すと、自分の行動や生活を振り返る機会が多くなる。このため、記録を残すことは、改善動機の維持につながる。この記録を残すことは、単調な作業であり、手書きで残そうとすると面倒になって途中でやめてしまうことがある。
【０００３】
ここで、最近の健康管理支援システムは、生活記録や測定した健康データを、携帯電話などの端末やセンサネットワークなどを介して容易に記録・保存できるようになってきている。
【０００４】
しかし、保存される健康データは、単調な数字であるため、自動保存で残していても利用者が見なくなることがある。そして、記録を見なくなると、自分の行動や生活を振り返る機会が減少し、健康管理の意識が薄まることになる。
【０００５】
一方、蓄積した記録を楽しく見られるものとして、日記が考えられる。日記であれば、後に振り返って楽しく見ることができ、自分の行動や生活を振り返る機会を多くできると考えられる。
【０００６】
この日記を作成しようとすると、テキスト入力しなければならず、文章構成を考慮する等の手間がかかる。このため、日記作成を続けることが困難であるという面がある。
【０００７】
このように手間のかかる日記作成について、次に示すような日記作成支援機能を有する公知技術が提案されている。  
例えば、センサノード及び携帯端末に備わる機能で行動時系列を収集・解析し、「移動」などの行動シーンの内容を抽出・表示するといった方法を用いる日記作成支援システムが提案されている（特許文献１参照）。
【０００８】
また、ウェブサイト上で公開する日記を作成支援するものとして、過去の日記から抽出した日記素材と、他人の日記から抽出した日記素材とのマッチングによって、日記のテーマ素材を抽出・提供して、作成支援を行う日記作成支援システムが提案されている（特許文献２参照）。
【０００９】
しかしながら、従来の日記作成支援の方法は、全自動での作成支援となっていないため、継続作成の困難さが残るという問題点がある。また、独立したテキストの羅列でスケジュール表のように事務的なものなっているといった問題点もある。他にも、健康管理に役立つ内容ではないという問題点もある。
【００１０】
詳述すると、特許文献１は、位置情報や通話情報などから行動時系列情報を時間帯で複数のシーンに分割し、各シーンについて“勉強した”や“楽しかった”などの選択肢を提示して日記の入力を補助するものである。このため、利用者は必ず選択や入力が必要であり、また選択した内容（独立したテキスト）の羅列の日記になり、健康管理に役立つものでもなかった。
【００１１】
また、特許文献２は、人の日記を分析してテーマ候補を抽出して提示し、ユーザの参加コミュニティーや受信メールや過去の日記からユーザ自身のテーマ素材を抽出し、これらをマッチングして一致度の高いものを抽出して表示し、ユーザのテーマ選択を容易にするものである。このため、テーマ選定を補助するにすぎず、日記そのものはユーザが入力する必要があり、健康管理に役立つものでもなかった。
【先行技術文献】
【特許文献】
【００１２】
【特許文献１】特開２００９−０２６０９８号公報
【特許文献２】特開２００８−２４２８０８号公報
【考案の概要】
【考案が解決しようとする課題】
【００１３】
この考案は、上述した問題点に鑑み、健康機器からの情報を加味した日記風の文章を利用者に負荷をかけずに自動的に作成できる健康管理支援システムを提供し、利用者の健康管理の維持を促進することを目的とする。
【課題を解決するための手段】
【００１４】
この考案は、利用者の健康に関連する健康関連データを取得する健康関連データ取得部と、前記健康関連データから利用者の状態を判定するための判定基準情報と前記状態に対応して日記出力するための文章情報とを記憶する記憶機器と、前記健康関連データ取得部で取得した健康関連データに基づいて利用者がどの状態であるか前記判定基準情報により判定する判定部と、判定結果の状態に対応する文章情報を前記記憶機器から抽出する文章情報抽出部と、抽出した文章情報を日記出力する出力部とを備えた健康管理支援システムであることを特徴とする。
【００１５】
前記健康関連データは、歩数計、体重体組成計（体重計と体組成計）、血圧計、および体温計など、健康に関するデータの測定を行う健康関連測定機器により測定した測定データとする、または、体調や気分、就寝時間や起床時間、服薬や喫煙本数など、健康に関するデータが利用者に入力された入力データとする、あるいはこれらの測定データと入力データの両方とするなど、適宜のデータとすることができる。
【００１６】
前記健康関連データ取得部は、健康関連測定機器から測定データを受信する通信手段、または利用者が使用する情報端末から入力データを受信する通信手段など、データ取得が可能な適宜の手段で構成することができる。
【００１７】
前記判定基準情報は、測定データの数値が所定範囲に入るか否か、入力データの入力内容（あるいは選択肢）が所定の内容に該当するか否かといった基準とすることができる。
【００１８】
前記状態は、健康状態（健康、高血圧、肥満など）、運動量状態（平常運動量、年代平均運動量、性別平均運動量、目標達成など）、あるいは、生活状態（夜更かし、飲酒、過剰喫煙、体調不良など）といったように、健康に関連する様々な状態とすることができる。
【００１９】
前記文章情報は、日記に用いる文章とすることができ、健康状態を示す文章、運動量を示す文章、生活状態を示す文章、過去と比較した現在の差を示す文章（ダイエット成功など）、目標達成状態を示す文章（目標歩数の歩行を達成など）、あるいは感情を表す文章（うれしい気分など）といったように、健康関連データを加味した様々な日記風の文章とすることができる。
【００２０】
前記文章情報抽出部は、記憶機器から該当する文章を抽出する処理、または、プログラミングされているｉｆ文等によって条件別に設定された文章を場合分けして出力する処理など、適宜の処理を実行する処理手段により構成することができる。
【００２１】
前記出力部は、データを送信出力する送信手段、データを画面に表示出力する表示手段、あるいは、データを記憶する記憶手段など、適宜の出力が可能な手段で構成することができる。データを記憶する場合、ホームページなどで閲覧可能に記憶する構成とすることもできる。
【００２２】
この考案により、健康機器からの情報を加味した日記風の文章を利用者に負荷をかけずに自動的に作成できる健康管理支援システムを提供し、利用者の健康管理の維持を促進することができる。
【００２３】
この考案の態様として、健康関連データ取得部は、複数種類の健康関連データを取得する構成とし、前記文章情報は、各健康関連データの状態を複数組み合わせた複合条件別に設定登録されている構成とし、前記文章情報抽出部は、前記判定部で判定した状態を複数組み合わせて該当する前記複合条件の文章情報を抽出する構成とすることができる。  
これにより、複数種類の健康関連データを組み合わせて、利用者の状態にきめ細かく対応した多彩な文章を出力することができる。
【００２４】
またこの考案の態様として、前記判定部は、過去の前記健康関連データと当日の健康関連データとの比較に基づく経過状態の判定を実行可能な構成であり、前記文章情報抽出部は、前記経過状態に対応する文章情報を前記記憶機器から抽出する処理を実行可能な構成とすることができる。
【００２５】
前記経過状態は、過去と比べた現在の変化度合い（例えば肥満解消率、あるいは歩数増加率など）とすることができる。
【００２６】
この態様により、健康維持のための努力の成果を判定することができ、その判定に対応した文章を出力することができる。従って達成感やモチベーション維持に繋がりやすい文章を出力することができる。
【００２７】
またこの考案の態様として、前記判定部による判定と、前記文章情報抽出部による文章情報の抽出とを複数種類実行し、前記出力部は、抽出した前記複数種類の文章情報を結合して出力する構成とすることができる。
【００２８】
これにより、複数の情報を盛り込んだ日記を出力することができ、様々な健康状態を文章内に反映させることができる。
【００２９】
またこの考案の態様として、前記判定部で判定する対象となる健康関連データの種類を日によって異ならせる対象変更部を備えることができる。  
前記対象変更部は、全ての種類を入れ替える、あるいは一部の種類を入れ替えるなど、適宜の変更を行う手段で構成することができる。
【００３０】
この態様により、出力する日記のマンネリ化を防止することができ、変化に富む日記を出力することができる。
【００３１】
またこの考案の態様として、前記文章情報抽出部は、前記判定部で判定した状態によっては、対象となる文章情報を抽出しない場合がある構成とすることができる。
【００３２】
これにより、例えば変化のない項目について文章出力を省略することや、目標達成時にだけ所定の文章を出力するといったことができ、より変化に富む日記を出力することができる。
【００３３】
またこの考案の態様として、抽出した前記文章情報に対して利用者による編集を許容する編集手段を備えることができる。
【００３４】
前記編集手段は、通信回線で接続された情報処理端末からの編集処理を許容するＣＧＩやＰＨＰといったサーバ機能による編集手段、あるいは直接的に編集を許容するキーボードやマウスやタッチパネルといった入力手段など、適宜の手段で構成することができる。
【００３５】
これにより、自動作成した日記に追加、変更、削除を行うことができ、利用者が満足度の高い日記に仕上げることができる。また、時間のないときや面倒なときは編集をせずに自動作成された日記をそのまま登録することができるため、編集するか否か利用者が任意に選択することができる。従って、利用者は日記の蓄積を楽に継続することができる。
【考案の効果】
【００３６】
この考案により、健康機器からの情報を加味した日記風の文章を利用者に負荷をかけずに自動的に作成できる健康管理支援システムを提供し、利用者の健康管理の維持を促進することができる。
【図面の簡単な説明】
【００３７】
【図１】健康管理支援システムのシステム構成図。
【図２】健康管理支援システムの概略構成を示すブロック図。
【図３】管理サーバに記憶するデータのデータ構成説明図。
【図４】管理サーバに記憶するデータのデータ構成説明図。
【図５】管理サーバに記憶するデータのデータ構成説明図。
【図６】情報登録画面の画面構成図。
【図７】健康管理支援システムの機能構成を説明する機能ブロック図。
【図８】健康管理支援システムの動作を示すフローチャート。
【図９】自動作成して表示する日記例の説明図。
【考案を実施するための形態】
【００３８】
この考案の一実施形態を以下図面と共に説明する。  
【実施例】
【００３９】
図１は、健康管理支援システム１のシステム構成を示す構成図であり、図２は、健康管理支援システム１の構成を示すブロック図である。  
健康管理支援システム１は、管理サーバ２、およびユーザ端末４がインターネット３に接続されており、さらにユーザ端末４に、歩数計５、体重体組成計６、および血圧計７等が接続されている。
【００４０】
図２に示すように、健康管理支援システム１は、管理サーバ２が設けられている。管理サーバ２は、制御部１０、入力部１１、表示部１２、記憶部１３、通信部１４とを有している。
【００４１】
制御部１０は、ＣＰＵとＲＯＭとＲＡＭ等で構成され、各種制御動作や演算処理を実行する。この演算処理として、日記を自動作成する日記作成処理も実行する。
【００４２】
入力部１１は、キーボードやマウス等の入力機器で構成され、管理サーバ利用者の操作入力を受け付けて入力信号を制御部１０に伝達する。  
表示部１２は、ＣＲＴディスプレイや液晶ディスプレイ等の表示機器で構成され、制御部１０の制御信号に従って文字や画像を表示する。
【００４３】
記憶部１３は、ハードディスクなどの記憶機器で構成され、制御部１０の制御信号に従ってデータの読み書きを実行する。  
通信部１４は、ＬＡＮボードなどの通信機器で構成され、制御部１０の制御信号に従ってデータの送受信処理を実行する。
【００４４】
ユーザ端末４は、制御部１５、入力部１６、表示部１７、通信部１８、及び接続部１９を備えている。
【００４５】
制御部１５、入力部１６、表示部１７、および通信部１８は、上述した管理サーバ２の制御部１０、入力部１１、表示部１２、および通信部１４と同様の構成であるので、その詳細な説明を省略する。なお、入力部１１および表示部１７は、手入力情報を入力する情報登録画面３５（図６参照）の表示と入力受付や、管理サーバ２で自動作成された日記の表示と編集と登録や、登録した日記のホームページ上での閲覧なども実行する。
【００４６】
接続部１９は、ＵＳＢ（Universal Serial Bus）などの接続インタフェースによって構成され、接続された他の機器とデータの送受信を行う。この実施例では、歩数計５、体重体組成計６、および血圧計７等が接続されており、これらの機器とデータの送受信（特に測定データの受信）を行う。
【００４７】
歩数計５は、主に接続部２０と制御部２１と加速度検知部２２とで構成されている。  
接続部２０および制御部２１は、上述したユーザ端末４の接続部１９および制御部１０と同様であるので、その詳細な説明を省略する。このうち制御部２１は、加速度信号から歩数や歩行距離や消費カロリー等を算出する演算処理も実行する。
【００４８】
加速度検知部２２は、ユーザの歩行等によって生じる変化の一例として加速度を検知するセンサであり、検知信号を制御部２１に送信する。この加速度検知部２２は、一方向の加速度を検知する一次元加速度センサ、直交する二方向の加速度を検知する二次元加速度センサ、または、直交する三方向の加速度を検知する三次元加速度センサで構成することができ、情報量の多い三次元加速度センサが最も好ましい。
【００４９】
なお、歩数計５は、これらの構成を主要とするものであり、その他にも、歩数や歩行距離や消費カロリーなどの情報を表示する表示部、および操作入力を受け付ける入力部等も備えている。
【００５０】
体重体組成計６は、主に接続部２３、制御部２４、体重測定部２５、および体組成測定部２６により構成されている。  
接続部２３および制御部２４は、上述したユーザ端末４の接続部１９および制御部１０と同様であるので、その詳細な説明を省略する。このうち制御部２４は、体重測定部２５や体組成測定部２６の測定データから体重や体組成（体脂肪率）等を算出する演算処理も実行する。
【００５１】
体重測定部２５は、複数のロードセルで構成され、測定データを制御部２４へ伝達する。  
体組成測定部２６は、低電流回路とインピーダンス検知部と電極とで構成されており、測定データを制御部２４へ伝達する。
【００５２】
なお、体重体組成計６は、これらの構成を主要とするものであり、その他にも、内蔵脂肪レベルや体脂肪率や皮下脂肪率などの情報を表示する表示部、および操作入力を受け付ける入力部等も備えている。
【００５３】
血圧計７は、主に接続部２７、制御部２８、および血圧測定部２９により構成されている。  
接続部２７および制御部２８は、上述したユーザ端末４の接続部１９および制御部１０と同様であるので、その詳細な説明を省略する。このうち制御部２８は、血圧測定部２９の測定データから血圧を算出する演算処理等を実行する。
【００５４】
血圧測定部２９は、利用者の血圧測定部位に装着されるカフ、カフにエア管を通じて圧力を付与すると共にカフ内の圧力を調整（制御）するポンプと弁、カフ内の圧力（カフ圧）に応じて容量値が変化する静電容量型の圧力センサ、圧力センサの容量値に応じた周波数の信号を出力する発振回路等により構成されており、測定データを制御部２８へ伝達する。
【００５５】
なお、血圧計７は、これらの構成を主要とするものであり、その他にも、測定した血圧等を表示する表示部、および操作入力を受け付ける入力部等も備えている。
【００５６】
このように構成された健康管理支援システム１は、ユーザ端末４が歩数計５、体重体組成計６、および血圧計７から各種測定データを取得し、管理サーバ２に送信する。また、利用者のユーザ端末４の操作により、管理サーバ２で日記を自動作成させ、その日記を修正して保存することも可能となる。なお、この実施例では、歩数計５、体重体組成計６、および血圧計７による各種測定データは、ユーザ端末４を通じて管理サーバ２に送信しているが、歩数計５、体重体組成計６、および血圧計７から管理サーバ２へそれぞれ直接送信する構成にしてもよい。
【００５７】
図３〜図５は、管理サーバ２の記憶部１３に設けられたデータベースに記憶するデータの構成を説明するデータ構成説明図である。  
記憶部１３のデータベースには、プロフィール情報Ｄ１、入力情報Ｄ２、スケジュール情報Ｄ３、目標情報Ｄ４、天候情報Ｄ５、歩数計情報Ｄ６、体重体組成計情報Ｄ７、血圧計情報Ｄ８、世代別・性別平均情報Ｄ９、参照頻度設定情報Ｄ１０、日記テキスト作成ルール情報Ｄ１１が記憶されている。
【００５８】
プロフィール情報Ｄ１は、年齢、性別、居住地域等、利用者のプロフィールで構成されている。
【００５９】
入力情報Ｄ２は、体調や気分を記憶する入力体調情報と、就寝時刻、起床時刻、食事内容、飲酒、および外出等を記憶する入力生活状況情報と、服薬内容、および喫煙本数等を記憶する入力その他情報とで構成されている。
【００６０】
スケジュール情報Ｄ３は、各種の予定が記憶されており、例えば飲み会の予定やスポーツの予定や会議の予定など、イベント情報や行動情報となる様々な予定が記憶されている。このスケジュール情報Ｄ３は、管理サーバ２に記憶しているが、他のサーバに記憶しているものをその都度アクセスして呼び出す構成にしてもよい。例えばＷＥＢ上でスケジュール管理ができる適宜のサービスやソフトウェアで登録されている予定を呼び出して使用する構成とすることができる。
【００６１】
目標情報Ｄ４は、利用者が選択または入力した目標行動が複数記憶されており、日付毎の達成度も記憶されている。
【００６２】
天候情報Ｄ５は、天候を記憶している。この天候は、管理サーバ２に記憶しておくとよく、利用者による入力を許容しても良いが、他のサーバ（例えば天気予報サーバなど）にて管理されているものを呼び出して使用してもよい。
【００６３】
歩数計情報Ｄ６は、歩数計５から取得したデータを日毎に分けて記憶している。  
体重体組成計情報Ｄ７は、体重体組成計６から取得したデータを日毎に分けて記憶している。  
血圧計情報Ｄ８は、血圧計７から取得したデータを日毎に分けて記憶している。
【００６４】
世代別・性別平均情報Ｄ９は、歩数計５で測定する歩数や、体重体組成計６で測定する体重や、血圧計７で測定する血圧を、歩数計情報Ｄ６、体重体組成計情報Ｄ７、および血圧計情報Ｄ８から複数抽出して平均値を算出し、この平均値を登録したものである。
【００６５】
参照頻度設定情報Ｄ１０は、日記を自動作成するにあたって、毎回確認する項目と、順番等によってたまに確認する事項を組み合わせるための情報である。  
日記テキスト作成ルール情報Ｄ１１は、どのような条件に該当すればどのような出力文字を出力するのかを定める表である。中には、図示するＮｏ．ｋのように、出力文字に変数が入っているものがある。この変数は、計算式で求めるものであり、Ｎｏ．ｋの例であれば、目標歩数から当日歩数を減算した値（不足歩数）に一歩に要する平均時間を乗算して分単位に四捨五入した値を［算出時間］として求めるとよい。これにより、目標達成に必要な行動を日記にて利用者に知らせることを可能にしている。
【００６６】
図６は、目標情報Ｄ４などをユーザ端末４で入力して管理サーバ２の記憶部１３に登録するための情報登録画面３５の画面構成図である。  
情報登録画面３５は、目標の実践記録と体調等を登録可能になっており、利用者は単純に選択して目標や体調等を定めることができる。利用者によって登録ボタンが押下されると、各情報が入力情報Ｄ２や目標情報Ｄ４などを記憶部１３に記憶される。
【００６７】
図７は、健康管理支援システム１の機能構成を説明する機能ブロック図であり、図８は、健康管理支援システム１の動作を示すフローチャートである。  
この健康管理支援システム１は、プロフィール情報入力部４１、手入力情報入力部４２、目標情報入力部４３、歩数計データ入力部４４、体重体組成計データ入力部４５、血圧計データ入力部４６、スケジュール情報入力部４７、天気情報入力部４８、世代別・性別平均算出部４９、参照項目決定部５０、データ抽出部５１、データ判定部５２、日記作成部５３、日記表示編集部５４、および、日記登録部５５を備えている。
【００６８】
プロフィール情報入力部４１は、通信部１４を介してユーザ端末４からプロフィール情報を受信し、記憶部１３のプロフィール情報Ｄ１に記憶する。  
手入力情報入力部４２は、通信部１４を介してユーザ端末４から手入力情報を受信し、記憶部１３の入力情報Ｄ２に記憶する。
【００６９】
目標情報入力部４３は、通信部１４を介してユーザ端末４から目標情報を受信し、記憶部１３の目標情報Ｄ４に記憶する。  
歩数計データ入力部４４は、通信部１４を介して歩数計５から歩数計情報を受信し、記憶部１３の歩数計情報Ｄ６に記憶する。
【００７０】
体重体組成計データ入力部４５は、通信部１４を介して体重体組成計６から体重体組成計情報を受信し、記憶部１３の体重体組成計情報Ｄ７に記憶する。  
血圧計データ入力部４６は、通信部１４を介して血圧計７から血圧計情報を受信し、記憶部１３の血圧計情報Ｄ８に記憶する。
【００７１】
スケジュール情報入力部４７は、通信部１４を介して図示省略するスケジュール管理サーバなどの適宜の装置からスケジュール情報を受信し、記憶部１３のスケジュール情報Ｄ３に記憶する。  
天気情報入力部４８は、通信部１４を介して図示省略する天気情報サーバなどの適宜の装置から天候情報を受信し、記憶部１３の天候情報Ｄ５に記憶する。
【００７２】
世代別・性別平均算出部４９は、記憶部１３に記憶しているすべての利用者のデータから各種情報の世代別・性別平均を算出し、記憶部１３に記憶する。  
参照項目決定部５０は、記憶部１３の参照頻度設定情報Ｄ１０を参照し、どの項目を参照するか決定する。
【００７３】
データ抽出部５１は、参照項目決定部５０で定められた項目のデータを記憶部１３から抽出する。  
データ判定部５２は、抽出したデータが日記テキスト作成ルール情報Ｄ１１の条件に該当するか否か判定する。
【００７４】
日記作成部５３は、文章作成エンジンにより日記テキスト作成ルール情報Ｄ１１の条件に該当する項目の出力文字を参照し、後に日記となる出力文章を作成する。この出力文章の作成に際して、変数展開（数値型、文字型、択一型、二値型）、代入、四則演算、論理演算等の演算を実行し、この演算をもとに文章作成を実行する。また、テキスト単位または段落単位で、条件を付けて出力制御することや、最終的な日記をＸＭＬ形式で出力することも実行する。なお、テキストはタグによるスタイル指定を採用し、レイアウトはテンプレート方式で外部処理により作成する。
【００７５】
日記表示編集部５４は、自動作成した日記をユーザ端末４の表示部１７に表示させ、文字の追加、修正、削除といった編集を許容する。  
日記登録部５５は、完成した日記データを、記憶部１３に記憶する。このとき、日記データをＸＭＬ形式で登録（出力）し、ブログ形式などの適宜の形式でホームページにて公開する。このホームページで公開を行う処理は、管理サーバ２にＷＥＢサーバ機能を搭載して該管理サーバ２が行う、あるいは、別途のＷＥＢサーバを設置して該ＷＥＢサーバにＸＭＬ形式の日記データをアップロードしＷＥＢサーバが行うなど、適宜の方法により実行する。
【００７６】
図８に示すように、管理サーバ２の制御部１０は、ユーザ端末４からデータを受け付けると日記作成の依頼か否かを判定する（ステップＳ１）。日記作成の依頼でなければ（ステップＳ１：Ｎｏ）、各種データを取得し（ステップＳ２）、取得した各種データを記憶する（ステップＳ３）。
【００７７】
日記作成の依頼であった場合（ステップＳ１：Ｙｅｓ）、制御部１０は、参照頻度設定情報Ｄ１０の参照頻度を参照して参照する項目を決定する（ステップＳ４）。この参照する項目は、参照頻度が“毎回”の項目全てと、参照頻度が“順番”の項目２〜３項目程度とすることが好ましい。参照頻度が“順番”の項目は、ランダムで決定することや順番に進めて決定すること等、適宜の方法で決定する。
【００７８】
制御部１０は、参照頻度設定情報Ｄ１０のテーマアップ基準を参照し、テーマアップをするか否か決定する（ステップＳ５）。  
テーマアップしない場合（ステップＳ５：Ｎｏ）、制御部１０は、ステップＳ７へ処理を進める。
【００７９】
テーマアップする場合（ステップＳ５：Ｙｅｓ）、制御部１０は、日記テキスト作成ルール情報Ｄ１１の該当覧に記憶されている出力文字を日記文章（文字列変数）に追加して文章を作成する。
【００８０】
参照項目とした全てのデータについて完了するまで（ステップＳ７：Ｎｏ）、制御部１０は、参照項目を次に進め（ステップＳ８）、ステップＳ５へ処理を戻して繰り返す。
【００８１】
全てのデータについて完了すると（ステップＳ７：Ｙｅｓ）、制御部１０は、完成した日記文章をユーザ端末４の表示部１７に表示させる（ステップＳ９）。
【００８２】
制御部１０は、ユーザ端末４の表示部１７に表示させた日記文章表示画面で日記の編集を許容する（ステップＳ１０）。この編集は、例えばテキストデータを表示してテキスト編集を許容することで実行させるとよい。
【００８３】
制御部１０は、編集後の日記を記憶部１３に保存し（ステップＳ１１）、処理を終了する。
【００８４】
以上の構成および動作により、健康管理支援システム１は、健康に関して取得した種々のデータをもとに、図９の日記例説明図に示すように、多様な日記を自動作成することができる。すなわち、図９（Ａ）〜図９（Ｃ）の各例に示すように、日付や天気といった常に挿入する文章、睡眠や体重など挿入する場合としない場合がある文章を組み合わせ、多様な文章の日記を自動作成することができる。
【００８５】
また、図９（Ａ）の最後の文章にある「１日の歩数も目標より少なかったので、明日は帰ってきてから１０分程歩いてみようかな。気分転換にはなるだろうし。」といった改善を促す文章を入れることができるため、自動作成した日記によって利用者の健康維持や改善行動を促すことができる。
【００８６】
また、作成された日記は、「ちょっとうれしい気分。」などの感情を表す文章が含まれているため、出来上がった日記を見る楽しみや、後に振り返って見る楽しみがあり、日記を通じて利用者が健康状態を確認する頻度を高め、維持することができる。
【００８７】
また、歩数計５や体重体組成計６や血圧計７といった健康機器からの情報を加味した日記風の文章を、利用者に負荷をかけずに自動的に作成できる。
【００８８】
また、歩数計５や体重体組成計６や血圧計７などで取得できる複数種類の健康関連データを組み合わせて、利用者の状態にきめ細かく対応した多彩な文章を出力することができる。
【００８９】
また、目標達成を判定するため、健康維持のための努力の成果を判定することができ、その判定に対応した文章を出力することができる。従って達成感やモチベーション維持に繋がりやすい文章を出力することができる。
【００９０】
また、複数の情報を盛り込んだ日記を出力することができ、様々な健康状態を文章内に反映させることができる。
【００９１】
また、常に参照する項目だけでなく、順番に参照する項目や、条件によって表示したりしなかったりする項目があるため、出力する日記のマンネリ化を防止することができ、変化に富む日記を出力することができる。
【００９２】
また、自動作成した日記に追加、変更、削除を行うことができ、利用者が満足度の高い日記に仕上げることができる。また、時間のないときや面倒なときは編集をせずに自動作成された日記をそのまま登録することができ、編集するか否か選択することができる。従って、利用者は日記の登録を楽に継続することができる。
【００９３】
また、測定データや入力データを、これらのデータによって判定できる利用者の状態に応じた文章に変換して日記作成を行うため、利用者の状態に合わせた満足度の高い日記を作成することができる。
【００９４】
また、測定した機器からのアップロード情報、日々の記録（食事バランスや飲食、目標行動の実践状況、睡眠、ストレス、服薬、喫煙、体調、気分）などを、文章生成エンジンとなる日記作成部５３で知識情報となる日記テキスト作成ルール情報Ｄ１１と照合して自動的に日記文章を生成し、それを利用者が修正できるようにし、記憶部１３のデータベースへ保存して参照できる。このため、利用者が日々の目標行動実践や記録をする楽しみを得ることができる。また、利用者は、自分の行動や生活を振り返る機会を多くして改善動機の維持を図ることができる。
【００９５】
また、登録した日記がホームページにブログ形式で公開されるため、利用者は、第三者とのコミュニケーションツールとして利用することができる。これにより、継続しやすくなり、目標を達成しようとするモチベーション向上効果も期待できる。
【００９６】
この考案の構成と、上述の実施形態との対応において、
この考案の記憶機器は、実施形態の記憶部１３に対応し、
以下同様に、
健康関連データ取得部は、手入力情報入力部４２、目標情報入力部４３、歩数計データ入力部４４、体重体組成計データ入力部４５、血圧計データ入力部４６に対応し、
対象変更部は、参照項目決定部５０に対応し、
判定部は、データ判定部５２に対応し、
文章情報抽出部は、日記作成部５３に対応し、
編集手段は、日記表示編集部５４に対応し、
出力部は、日記登録部５５に対応し、
健康関連データは、入力情報Ｄ２、歩数計情報Ｄ６、体重体組成計情報Ｄ７、血圧計情報Ｄ８に対応し、
経過状態に対応する文章情報は、日記テキスト作成ルール情報Ｄ１１のＮｏ．ｎの出力文字に対応し、
判定基準情報は、日記テキスト作成ルール情報Ｄ１１の条件に対応し、
文章情報は、日記テキスト作成ルール情報Ｄ１１の出力文字に対応するが、
この考案は、上述の実施形態の構成のみに限定されるものではなく、多くの実施の形態を得ることができる。
【産業上の利用可能性】
【００９７】
この考案は、健康管理の維持を促進するために用いることができ、また、日記を容易に作成するためにも用いることができる。
【符号の説明】
【００９８】
１…健康管理支援システム、１３…記憶部、４２…手入力情報入力部、４３…目標情報入力部、４４…歩数計データ入力部、４５…体重体組成計データ入力部、４６…血圧計データ入力部、５０…参照項目決定部、５２…データ判定部、５３…日記作成部、５４…日記表示編集部、５５…日記登録部、Ｄ２…入力情報、Ｄ６…歩数計情報、Ｄ７…体重体組成計情報、Ｄ８…血圧計情報、Ｄ１１…日記テキスト作成ルール情報
【手続補正２】
【補正対象書類名】実用新案登録請求の範囲
【補正対象項目名】全文
【補正方法】変更
【補正の内容】
【実用新案登録請求の範囲】
【請求項１】
利用者の健康に関連する健康関連データを取得する健康関連データ取得部と、
前記健康関連データから利用者の状態を判定するための判定基準情報と前記状態に対応して日記出力するための文章情報とを記憶する記憶機器と、
前記健康関連データ取得部で取得した健康関連データに基づいて利用者がどの状態であるか前記判定基準情報により判定する判定部と、
判定結果の状態に対応する文章情報を前記記憶機器から抽出する文章情報抽出部と、
抽出した文章情報を日記出力する出力部とを備えた
健康管理支援システム。
【請求項２】
前記健康関連データ取得部は、複数種類の健康関連データを取得する構成であり、
前記文章情報は、各健康関連データの状態を複数組み合わせた複合条件別に設定登録されている構成であり、
前記文章情報抽出部は、前記判定部で判定した状態を複数組み合わせて該当する前記複合条件の文章情報を抽出する構成である
請求項１記載の健康管理支援システム。
【請求項３】
前記判定部は、過去の前記健康関連データと当日の健康関連データとの比較に基づく経過状態の判定を実行可能な構成であり、
前記文章情報抽出部は、前記経過状態に対応する文章情報を前記記憶機器から抽出する処理を実行可能な構成である
請求項１または２記載の健康管理支援システム。
【請求項４】
前記判定部による判定と、前記文章情報抽出部による文章情報の抽出とを複数種類実行し、
前記出力部は、抽出した前記複数種類の文章情報を結合して出力する構成である
請求項１、２、または３記載の健康管理支援システム。
【請求項５】
前記判定部で判定する対象となる健康関連データの種類を日によって異ならせる対象変更部を備えた
請求項４記載の健康管理支援システム。
【請求項６】
前記文章情報抽出部は、前記判定部で判定した状態によっては、対象となる文章情報を抽出しない場合がある構成である
請求項４または５記載の健康管理支援システム。
【請求項７】
抽出した前記文章情報に対して利用者による編集を許容する編集手段を備えた
請求項１から６のいずれか１つに記載の健康管理支援システム。